(57)【要約】      （修正有）【課題】簡易且つ簡便にマイナスイオン化した飲料物を製造することができるマイナスイオン化飲料物収容体、及びマイナスイオン化飲料物製造装置を提供する。【解決手段】マイナスイオン化飲料物収容体は、ペットボトル１である。ペットボトル１は、飲料物７を収容した本体部３と、本体部３の底面１１に貼り付けられた、本体部３内の飲料物７をマイナスイオン化するシート状のアルミテープ９と、を有し、アルミテープ９は、空気又は身体との摩擦により負の電荷に帯電する基材と、導電性の粘着部とを有する。【選択図】図１
0003234701.tif 000002
【実用新案登録請求の範囲】
【請求項１】
飲料物を収容した収容部と、
前記収容部の外表面に設けられ、当該収容部内の前記飲料物に対しマイナスイオン化するシート状のアルミテープと、
を有することを特徴とする、マイナスイオン化飲料物収容体。
【請求項２】
飲料物を収容した収容部と、
前記収容部内の前記飲料物に対しマイナスイオン化するためのシート状のアルミテープと、
前記アルミテープを保持し、前記収容部に取り付けられたホルダと、
を有することを特徴とするマイナスイオン化飲料物収容体。
【請求項３】
請求項１又は２記載のマイナスイオン化飲料物収容体において、
前記アルミテープは、
空気又は身体との摩擦により負の電荷に帯電する基材と、
導電性の粘着部と、を有する
ことを特徴とするマイナスイオン化飲料物収容体。
【請求項４】
請求項１乃至３のいずれか１項に記載のマイナスイオン化飲料物収容体において、
前記アルミテープは、
幅方向両側のうち少なくとも一方側の縁部が、平面視において鋸歯状又は凹凸状に形成されている
ことを特徴とするマイナスイオン化飲料物収容体。
【請求項５】
内部に飲料物が導かれて供給される被供給部と、
前記被供給部の壁面外側に設けられ、当該被供給部内の前記飲料物に対して、他の金属物との電気的導通を行うことなく前記壁面越しに作用してマイナスイオン化する、アルミテープと、
前記被供給部内において前記アルミテープにより前記マイナスイオン化された前記飲料物を排出する排出部と、
を有することを特徴とするマイナスイオン化飲料物製造装置。
【考案の詳細な説明】
【技術分野】
【０００１】
本考案は、マイナスイオン化飲料物を収容するマイナスイオン化飲料物収容体、マイナスイオン化飲料物を製造するマイナスイオン化飲料物製造装置に関する。
【背景技術】
【０００２】
特許文献１には、マイナスイオン水製造システムが記載されている。このマイナスイオン水製造システムは、飲用可能な水を収容した容器と、この容器内を、水分子は透過させないがイオンは通過させることができる仕切り部と、容器内の仕切り部で分けられた一方の水面に対向するように備えられたマイナス電極及び容器内の仕切り部で分けられた他方の水に接触又は対向するように備えられたプラス電極を含み、マイナス電極から水面に向けて電子を放出させるための放電装置と、を備える。
【先行技術文献】
【特許文献】
【０００３】
【特許文献１】特開２０００−３４３０７９号公報
【考案の概要】
【考案が解決しようとする課題】
【０００４】
上記従来技術のマイナスイオン水製造システムは、装置構成や製造工程が複雑であり、マイナスイオン水を容易に製造することができないという課題があった。
【０００５】
本考案はこのような問題点に鑑みてなされたものであり、簡易且つ簡便にマイナスイオン化した飲料物を製造することができるマイナスイオン化飲料物収容体、及びマイナスイオン化飲料物製造装置を提供することを目的とする。
【課題を解決するための手段】
【０００６】
上記課題を解決するため、本考案の一の観点によれば、飲料物を収容した収容部と、前記収容部の外表面に設けられ、当該収容部内の前記飲料物に対しマイナスイオン化するシート状のアルミテープと、を有するマイナスイオン化飲料物収容体が適用される。
【０００７】
また、本考案の別の観点によれば、飲料物を収容した収容部と、前記収容部内の前記飲料物に対しマイナスイオン化するためのシート状のアルミテープと、前記アルミテープを保持し、前記収容部に取り付けられたホルダと、を有するマイナスイオン化飲料物収容体が適用される。
【０００８】
また、本考案の別の観点によれば、内部に飲料物が導かれて供給される被供給部と、前記被供給部の壁面外側に設けられ、当該被供給部内の前記飲料物に対して、他の金属物との電気的導通を行うことなく前記壁面越しに作用してマイナスイオン化する、アルミテープと、前記被供給部内において前記アルミテープにより前記マイナスイオン化された前記飲料物を排出する排出部と、を有するマイナスイオン化飲料物製造装置が適用される。
【考案の効果】
【０００９】
本考案によれば、簡易且つ簡便にマイナスイオン化した飲料物を製造することができる。
【図面の簡単な説明】
【００１０】
【図１】マイナスイオン化飲料物収容体の構成の一例を表す側面図である。
【図２】マイナスイオン化飲料物収容体の構成の一例を表す底面図である。
【図３】マイナスイオン化飲料物収容体の構成の他の例を表す側面図である。
【図４】マイナスイオン化材の構成の一例を表す平面図である。
【図５】マイナスイオン化材の断面構成の一例を表す断面図である。
【図６】マイナスイオン化材の機能の一例を表す説明図である。
【図７】マイナスイオン化材をホルダで保持したペットボトルの構成の一例を表す説明図である。
【図８】マイナスイオン化飲料物製造装置の構成の一例を表す概念図である。
【図９】マイナスイオン化飲料物製造装置の構成の他の例を表す概念図である。
【考案を実施するための形態】
【００１１】
以下、一実施の形態について図面を参照しつつ説明する。
【００１２】
＜１．マイナスイオン化飲料物収容体の構成＞
まず、図１〜図３を用いて、本実施形態に係るマイナスイオン化飲料物収容体の構成の一例について説明する。図１はマイナスイオン化飲料物収容体の構成の一例を表す側面図、図２はマイナスイオン化飲料物収容体の構成の一例を表す底面図、図３はマイナスイオン化飲料物収容体の構成の他の例を表す側面図である。
【００１３】
図１及び図２に示すように、本実施形態に係るマイナスイオン化飲料物収容体は、ペットボトル１である。ペットボトル１は、ポリエチレンテレフタラート（ＰＥＴ）等のプラスチック材料で構成されており、本体部３とキャップ５を有する。本体部３（収容部の一例）には、飲料物７が収容されている。飲料物７は、例えば水、お茶、ジュース、コーヒー、紅茶、炭酸飲料、アルコール飲料、その他の飲用可能な液体状の物質である。
【００１４】
本体部３の外表面には、シート状のマイナスイオン化材９が設けられている。マイナスイオン化材９は、本体部３内の飲料物７をマイナスイオン化する。マイナスイオン化材９は、本体部３内の飲料物７が減少した場合でも機能するように、できるだけ本体部３の下方に設けるのが好ましい。例えば図１及び図２に示すように、マイナスイオン化材９は本体部３の底面１１（外表面の一例）に設けられてもよいし、例えば図３に示すように、本体部３の下方の側面１３（外表面の一例）に設けられてもよい。
【００１５】
なお、本考案のマイナスイオン化飲料物収容体は、ペットボトルに限定されるものではない。例えば、ガラス瓶、紙パック、プラスチック容器等の絶縁性材料で構成される容器、ステンレス、アルミ、鉄、スチール、その他金属製の缶等の導電性材料で構成される容器にも適用可能である。また、ユーザが飲料物７を飲用する際に使用する各種のコップ、例えばガラス製のコップ、紙コップ、プラスチック製のコップ、ステンレス等の金属製のコップ等に使用してもよい。
【００１６】
＜２．マイナスイオン化材の構成、機能＞
次に、図４〜図６を用いて、マイナスイオン化材９の構成及び機能の一例について説明する。図４はマイナスイオン化材９の構成の一例を表す平面図、図５はマイナスイオン化材９の断面構成の一例を表す断面図、図６はマイナスイオン化材９の機能の一例を表す説明図である。
【００１７】
図４に示すように、マイナスイオン化材９は、シート状の部材であり、アルミニウムを含む材質で構成されたテープ部材である。寸法は特に限定されるものではないが、例えば長さ寸法Ｌが幅寸法Ｗの５倍以上である長尺状のテープ部材である。マイナスイオン化材９として、例えばアルミテープやアルミ箔等を使用してもよい。図４に示すように、マイナスイオン化材９は、幅方向両側の縁部１５，１７が、平面視において鋸歯状の凹凸形状となるように形成されている。これにより、同じ面積の単なる長方形の場合に比べて、周囲長を長くでき、負（マイナス）の電荷の帯電効率が高まり、マイナスイオン化機能を向上できるようになっている。なお、縁部１５，１７の形状は鋸歯状に限るものではなく、例えば矩形状の凹凸形状や、円弧状の凹凸形状等に形成してもよい。また、必ずしも幅方向両側である必要はなく、幅方向の一方側の縁部のみを凹凸形状としてもよい。また、必ずしも縁部を凹凸形状とする必要はなく、マイナスイオン化材９を単なる長方形としてもよい。また、長方形以外の多角形、円形、楕円形、星形、その他様々な図形や記号や文字等の形状としてもよい。
【００１８】
図５に示すように、マイナスイオン化材９は、アルミニウムを含む材質で構成された基材１９と、導電性の粘着部２１を有している。マイナスイオン化材９は、粘着部１７によりペットボトル１の本体部３の外周部に貼られている。なお、基材１９は、アルミニウム以外にも、例えばアクリル系又はポリエステル系の樹脂材料で構成されてもよい。
【００１９】
図６に示すように、空気は通常正（プラス）の電荷を帯びており、本体部３の底面１１に貼り付けられたマイナスイオン化材９は、例えばペットボトル１が持ち運びされる際の空気や身体（指など）との摩擦等の外部要因により、負（マイナス）の電荷に帯電する。これにより、マイナスイオン化材９は、底面１１のマイナスイオン化材９が設けられた部位の正（プラス）の電荷を低下させ、又は当該部位を負（マイナス）の電荷に帯電させる。その結果、本体部３内の飲料物７にマイナスイオンが供給され、又は飲料物７内のプラスイオンが低減されて、飲料物７がマイナスイオン化される。このようにして、マイナスイオン化材９は、電極として他の金属物との電気的導通を行うことなく、本体部３内の飲料物７に底面１１越しに作用してマイナスイオン化する。
【００２０】
＜３．実施形態の効果＞
以上説明したように、本実施形態のペットボトル１は、飲料物７を収容した本体部３と、本体部３の外表面に設けられ、当該本体部３内の飲料物７に対しマイナスイオン化するシート状のマイナスイオン化材９と、を有する。
【００２１】
マイナスイオン化材９は、例えばペットボトル１が持ち運びされる際の空気や身体（指など）との摩擦等の外部要因により、負（マイナス）の電荷に帯電する。これにより、本体部３のマイナスイオン化材９が設けられた部位の正（プラス）の電荷を低下させ、又は当該部位を負（マイナス）の電荷に帯電させることができる。これにより、本体部３内の飲料物７にマイナスイオンを供給し、又は飲料物７内のプラスイオンを低減させて、飲料物７をマイナスイオン化することができる。このようにして、簡易且つ簡便にマイナスイオン化した飲料物７を製造することができる。
【００２２】
飲料物７をマイナスイオン化することで、飲料物７の味がはっきりすると共に後を引く感覚が生じ、美味しさを向上できる。また、マイナスイオン化した飲料物７を飲用することにより、体質をマイナスイオン化してアルカリ化させ、疲労回復や健康増進に資することができる。特に、血液浄化促進、内臓分泌促進、神経系統の鎮静作用等に効果がある。さらに、マイナスイオン化した飲料物７は酵素を良く溶解し、溶解している遊離酵素が消化器系統によりよく吸収され、新陳代謝を促進する効果もある。
【００２３】
また、本実施形態では特に、マイナスイオン化材９は、アルミニウムを含む材質で構成された、本体部３の外周部に貼られたテープ部材である。これにより、例えばアルミテープやアルミ箔等のテープ部材を本体部３の外周部に貼るだけで、マイナスイオン化した飲料物７を製造できるペットボトル１を実現できる。
【００２４】
また、本実施形態では特に、マイナスイオン化材９は粘着部２１により本体部３の外周部に貼り付けられる。この粘着部２１を導電性とすることにより、本体部３のマイナスイオン化材９が設けられた部位の正（プラス）の電荷を低下させ、又は当該部位を負（マイナス）の電荷に帯電させる効果を高めることができ、マイナスイオン化機能を向上できる。
【００２５】
また、本実施形態では特に、マイナスイオン化材９は、幅方向両側の縁部１５，１７が、平面視において鋸歯状の凹凸形状に形成されている。マイナスイオン化材９は、同じ面積である場合には周囲長が長い方が、負（マイナス）の電荷の帯電効率が良くなる性質を有する。したがって、マイナスイオン化材９の幅方向両側の縁部１５，１７を、平面視において鋸歯状の凹凸形状とすることにより、同じ面積の単なる長方形の場合に比べて周囲長を長くでき、負（マイナス）の電荷の帯電効率が高まり、マイナスイオン化機能を向上できる。
【００２６】
＜４．変形例＞
なお、開示の実施形態は、上記に限られるものではなく、その趣旨及び技術的思想を逸脱しない範囲内で種々の変形が可能である。
【００２７】
上記実施形態では、例えばペットボトル１の製造工程又は流通過程等、ユーザに販売される前段階において、予め本体部３の外表面にマイナスイオン化材９が設けられた場合について説明した。但し、この場合には、例えば流通の過程でマイナスイオン化材９が本体部３から脱落したり、マイナスイオン化材９に摩耗、破損、その他の劣化を生じる可能性がある。
【００２８】
そこで、ユーザがマイナスイオン化材９を本体部３に取り付ける構成としてもよい。図７は、本変形例のペットボトル２３の構成の一例を表す説明図である。図７に示すように、ペットボトル２３（マイナスイオン化飲料物収容体の一例）は、前述した本体部３、キャップ５に加えて、マイナスイオン化材９を保持し、本体部３に取り付けられたホルダ２５を有している。ホルダ２５は、本体部３に引っ掛けるためのフック部２７と、マイナスイオン化材９を収納した袋状の収納部２９とを有している。ペットボトル２３は、ホルダ２５によりマイナスイオン化材９が保持された状態で、ユーザに販売される。
【００２９】
ユーザはまず、ホルダ２５のフック部２７をペットボトル２３から取り外し、マイナスイオン化材９をホルダ２５の収納部２９から取り出す。次にユーザは、飲料物７を収容したペットボトル２３の本体部３を把持して持ち上げ（第１ステップの一例）、持ち上げた本体部３の外周部に、マイナスイオン化材９を貼り付ける（第２ステップの一例）。これにより、本体部３内の飲料物７がマイナスイオン化される。
【００３０】
本変形例では、ユーザは例えば飲料物７を飲用する直前等にマイナスイオン化材９を本体部３に取り付ける。このような構成とすることで、上述した脱落や劣化を防止でき、より確実にマイナスイオン化した飲料物７を製造することができる。
【００３１】
＜５．他の適用例＞
上記実施形態では、本考案をマイナスイオン化飲料物の収容体に適用した場合について説明したが、その他にも、マイナスイオン化飲料物の製造装置に適用することも可能である。
【００３２】
図８及び図９を用いて、マイナスイオン化飲料物製造装置の構成の一例について説明する。図８はマイナスイオン化飲料物製造装置の構成の一例を表す概念図、図９はマイナスイオン化飲料物製造装置の構成の他の例を表す概念図である。
【００３３】
図８に示すように、マイナスイオン化飲料物の製造装置３１は、タンク３３（被供給部の一例）と、マイナスイオン化材３５と、蛇口３７（排出部の一例）を有している。タンク３３には、配管３９を介して内部に飲料物４１が供給される。マイナスイオン化材３５は、タンク３３の下方側の壁面外側に設けられ、当該タンク３３内の飲料物４１に対して、電極として他の金属物との電気的導通を行うことなく壁面越しに作用してマイナスイオン化する。マイナスイオン化材３５は、上記実施形態のマイナスイオン化材９と同様の構造であるが、寸法はタンク３３の寸法や貯留量等に応じて適宜に設定されている。蛇口３７は、タンク３３内においてマイナスイオン化材３５によりマイナスイオン化された飲料物４１を排出する。
【００３４】
また図９に示すように、マイナスイオン化飲料物の製造装置４３を、配管として構成してもよい。図９に示す例では、内部に飲料物４５（図示省略）が導かれて供給される配管４７（被供給部の一例）と、配管４７の壁面外側に設けられたマイナスイオン化材４９と、蛇口５１（排出部の一例）とを有している。マイナスイオン化材４９は、配管４７内の飲料物４５に対して、電極として他の金属物との電気的導通を行うことなく壁面越しに作用してマイナスイオン化する。マイナスイオン化材４９は、上記実施形態のマイナスイオン化材９と同様の構造であるが、寸法は配管４７の寸法や流量等に応じて適宜に設定されている。蛇口５１は、配管４７内においてマイナスイオン化材４９によりマイナスイオン化された飲料物４５を排出する。
【００３５】
以上のマイナスイオン化飲料物の製造装置３１，４３によれば、装置構成を複雑化することなく、簡易且つ簡便にマイナスイオン化した飲料物７を製造することができる。また、既存のタンクや配管にマイナスイオン化材を貼り付けるだけで、マイナスイオン化飲料物の製造装置を実現することができる。
【００３６】
なお、マイナスイオン化材３５，４９は、タンク３３や配管４７に貼り付けられるテープ部材の態様に限定されるものではない。例えば、タンク３３や配管４７の外周に取り付けられるプレート部材の態様としてもよいし、タンク３３や配管４７の周囲を巻くように取り付けられる円筒状部材の態様としてもよい。また、例えばタンク３３や配管４７の壁面の一部又は全部をアルミニウム等の材料で構成し、タンク３３や配管４７自体をマイナスイオン化材として機能させてもよい。
【００３７】
また、以上既に述べた以外にも、上記実施形態や各変形例による手法を適宜組み合わせて利用しても良い。その他、一々例示はしないが、上記実施形態や各変形例は、その趣旨を逸脱しない範囲内において、種々の変更が加えられて実施されるものである。
【符号の説明】
【００３８】
１            ペットボトル（マイナスイオン化飲料物収容体）
３            本体部（収容部）
７            飲料物
９            マイナスイオン化材
１１          底面（外表面）
１３          側面（外表面）
１５          縁部
１７          縁部
２１          粘着部
２３          ペットボトル（マイナスイオン化飲料物収容体）
２５          ホルダ
３１          製造装置（マイナスイオン化飲料物製造装置）
３３          タンク（被供給部）
３５          マイナスイオン化材
３７          蛇口（排出部）
４１          飲料物
４３          製造装置（マイナスイオン化飲料物製造装置）
４５          飲料物
４７          配管（被供給部）
４９          マイナスイオン化材
５１          蛇口（排出部）
【図１】
0003234701.tif 000003
【図２】
0003234701.tif 000004
【図３】
0003234701.tif 000005
【図４】
0003234701.tif 000006
【図５】
0003234701.tif 000007
【図６】
0003234701.tif 000008
【図７】
0003234701.tif 000009
【図８】
0003234701.tif 000010
【図９】
0003234701.tif 000011